(57)【特許請求の範囲】
【請求項１】
原稿台に載置された原稿を読み取る位置まで給紙する原稿読取装置において，
上記原稿を上記位置まで給紙する際の給紙速度を可変に制御するに際して，
当該原稿読取装置の動作モードがモノクロ原稿読取モードに設定されたときの給紙速度よりも，カラー原稿読取モードに設定されたときの給紙速度を小さくするよう制御することを特徴とする原稿読取装置。
【請求項２】
当該原稿読取装置の使用期間又は前記原稿を給紙した枚数に応じて，前記給紙速度を可変に制御してなる請求項１記載の原稿読取装置。
【請求項３】
原稿台に載置された原稿を読み取る位置まで給紙する原稿読取装置において，
上記原稿を上記位置まで給紙する際の給紙速度を可変に制御するに際して，
当該原稿読取装置の使用期間又は前記原稿を給紙した枚数に応じて，上記原稿を上記位置まで給紙する際の給紙速度を可変に制御することを特徴とする原稿読取装置。
【請求項４】
原稿台に載置された原稿を読み取る位置まで給紙する原稿読取装置において，
上記原稿を上記位置まで給紙する際に上記原稿に掛かる加速度を可変に制御するに際して，
当該原稿読取装置の動作モードがモノクロ原稿読取モードに設定されたときの加速度よりも，カラー原稿読取モードに設定されたときの加速度を小さくするよう制御することを特徴とする原稿読取装置。
【請求項５】
当該原稿読取装置の使用期間又は前記原稿を給紙した枚数に応じて，前記加速度を可変に制御してなる請求項４記載の原稿読取装置。
【請求項６】
原稿台に載置された原稿を読み取る位置まで給紙する原稿読取装置において，
上記原稿を上記位置まで給紙する際に上記原稿に掛かる加速度を可変に制御するに際して，
当該原稿読取装置の使用期間又は前記原稿を給紙した枚数に応じて，上記原稿を上記位置まで給紙する際に上記原稿に掛かる加速度を可変に制御することを特徴とする原稿読取装置。
【請求項７】
請求項１から請求項６のいずれかに記載された原稿読取装置を具備する画像形成装置。
【発明の詳細な説明】
【０００１】
【発明の属する技術分野】
本発明は，原稿台に載置された原稿を読み取る位置まで給紙する原稿読取装置において，上記原稿を上記位置まで給紙する際の給紙速度を可変に制御する原稿読取装置，又は該原稿読取装置を具備した画像形成装置に関するものである。
【０００２】
【従来の技術】
従来より，図２に示すような外観を有する原稿読取装置の一例であるスキャナＢが一般的に広く知られている。
上記スキャナＢの構成は一般的に，蓋１００と，原稿を読み取る光学系が内蔵される本体１７０とに大別される。
蓋１００は，原稿台１３０に置かれた原稿を一枚毎に矢印▲１▼方向から引き込んで，矢印▲２▼方向へ排出するドキュメントフィーダ１２０（以下，単に「ＤＦ１２０」と称する。）を具備している。
本体１７０は，上記ＤＦ１２０で引き込まれた原稿を内蔵する光学系で読み取るためのＤＦ用コンタクトガラス１５０と，載置された原稿を内蔵する光学系を移動させながら読み取るためのコンタクトガラス１６０と，スキャナＢを操作するための操作部４０を具備している。
【０００３】
【発明が解決しようとする課題】
ところで，従来より知られる上記スキャナＢでは，上述のとおり原稿台１３０に載置された原稿が一枚毎にＤＦ１２０によって引き込まれて給紙されるが，その引き込む速度（即ち，原稿の給紙速度）は，常に同じ速度で引き込まれるものであった。
しかしながら，ＤＦ１２０が常に同じ給紙速度で原稿を給紙するため，次のようなトラブルが発生することがある。
例えば，カラー原稿を上記ＤＦ１２０によって引き込もうとしても，該カラー原稿がＤＦ１２０によって引き込まれなかったり，該カラー原稿がＤＦ１２０でジャム（即ち，紙詰まり）する場合がある。
通常，カラー原稿は元々カラーの画像形成が最適に行われるように表面が薬品等でコーティングされているシート材にカラー印刷されたものが多い。
そのため，このようなコーティングが施されたシート材より成るカラー原稿がＤＦ１２０によって給紙されると，上記コーティングによる滑りによって上記トラブルが発生すると考えられている。
つまり，このような滑り等の不具合が発生するのは，ＤＦ１２０の給紙速度が，ＰＰＣ（プレーンペーパーコピー）等の普通紙を最適に給紙し，且つ沢山の原稿を処理できるように可能な限り速く設定されているためである。
そこで、本発明は上記事情を鑑みてなされたものであり、その目的とするところは、上記ＰＰＣ等の普通紙を最適に給紙できることは元より，表面が薬品等でコーティングされたシート材の原稿を最適に給紙できるように給紙速度を可変に制御する原稿読取装置と該原稿読取装置を具備する画像形成装置を提供することである。
【０００４】
【課題を解決するための手段】
上記目的を達成するために本発明は，原稿台に載置された原稿を読み取る位置まで給紙する原稿読取装置において，
上記原稿を上記位置まで給紙する際の給紙速度を可変に制御するに際して，当該原稿読取装置の動作モードがモノクロ原稿読取モードに設定されたときの給紙速度よりも，カラー原稿読取モードに設定されたときの給紙速度を小さくするよう制御することを特徴とする原稿読取装置として構成されている。
このように構成されているので，原稿台より給紙される原稿の材質に応じて給紙速度を可変に制御することが可能となって，従来のように表面に薬品等でコーティングされたシート材を給紙する場合に発生していた給紙不良や原稿のジャムを防止することが可能となる。
また，前記原稿読取装置の動作モード，使用期間，又は前記原稿を給紙した枚数に応じて，前記給紙速度を可変に制御しても良い。
このように構成することで，様々な条件に合った最適な給紙速度で原稿を給紙することが可能となり，例えば，原稿台より給紙される原稿の材質のみならず，原稿を給紙する駆動部材の磨耗によって発生する給紙不良や原稿のジャム等を防止することが可能となる。
【０００５】
原稿台に載置された原稿を読み取る位置まで給紙する原稿読取装置において，
上記原稿を上記位置まで給紙する際に上記原稿に掛かる加速度を可変に制御するに際して，当該原稿読取装置の動作モードがモノクロ原稿読取モードに設定されたときの加速度よりも，カラー原稿読取モードに設定されたときの加速度を小さくするよう制御することを特徴とする原稿読取装置として構成されている。
このように構成されているので，原稿台より給紙される原稿の材質に応じて給紙において原稿に掛かる加速度を可変に制御することが可能となって，従来のように表面に薬品等でコーティングされたシート材を給紙する場合に発生していた給紙不良や原稿のジャムを防止することが可能となる。
また，前記原稿読取装置の動作モード，使用期間，又は前記原稿を給紙した枚数に応じて，前記加速度を可変に制御しても良い。
このように構成することで，様々な条件に合った最適な加速度で原稿を給紙することが可能となり，例えば，原稿台より給紙される原稿の材質のみならず，原稿を給紙する駆動部材の磨耗によって発生する給紙不良や原稿のジャム等を防止することが可能となる。
更に，前記原稿読取装置を具備する画像形成装置であっても良く，このように構成することで，最適な給紙速度又は加速度で原稿を給紙し，効率よく原稿画像の画像形成を行うことが可能となる。
【０００６】
【発明の実施の形態】
以下添付図面を参照しながら、本発明の実施の形態及び実施例について説明し、本発明の理解に供する。尚、以下の実施の形態及び実施例は、本発明を具体化した一例であって、本発明の技術的範囲を限定する性格のものではない。
ここに、図１は本発明の実施の形態に係るスキャナＡの概略構成を示したブロック図，図２は本発明のスキャナＡ及び従来のスキャナＢの外観外観図，図３は本発明の実施の形態に係るスキャナＡが行う一連の処理の一例を示したフローチャート，図４はスキャナＡを具備した画像形成装置Ｐの外観断面図である。
【０００７】
先ず，図１を用いて本発明の原稿読取装置の一例であるスキャナＡの概略構成について説明する。尚，スキャナＡの外観は図２を用いて既に説明した上記スキャナＢと同様であるとする。
スキャナＡは，スキャナＡがユーザによって操作されるために設定の入力や各種命令の入力等が行われる操作部４０と，スキャナＡが接続される情報処理装置Ｃと通信して，該情報処理装置ＣよりスキャナＡを操作することを可能にする通信部５０と，原稿台１３０に載置された原稿をＤＦ１２０で給紙する際に，ＤＦ１２０を駆動するためのモータ等の駆動部分である駆動部３０と，スキャナＡを制御するプログラム等が格納されるＲＯＭ２０と，上記各部を制御することによってスキャナＡ全体を制御する制御部１０とを具備して構成されている。
また，スキャナＡは，操作部４０より入力が行われることによって直接操作されることも可能であるが，スキャナＡで取り込んだ原稿画像を活用する情報処理装置Ｃが上記通信部５０を介して接続され，該情報処理装置ＣによってスキャナＡが操作されても良い。
また，上記ＲＯＭ２０にはユーザにより設定されるスキャナＡの動作モードと，給紙速度を対応付けが格納されているものとする。
以下の説明では，上記情報処理装置ＣによってスキャナＡが操作される場合にスキャナＡが行う一連の処理について図３を用いて説明する。
【０００８】
情報処理装置Ｃがユーザによって操作されて，原稿をカラーモード又はモノクロモードのいずれで読み取るかの動作モードの設定が行われると，制御部１０は，その設定された動作モードを通信部５０を介して取得する（Ｓ１０）。
続いて，制御部１０は，情報処理装置Ｃがユーザによって操作されて，スキャナＡを作動させる命令が送信されたか否かを判断する（Ｓ２０）。
ステップＳ２０で，上記作動の命令が入力されたと判断された場合は，制御部１０は，上記ステップＳ１０にて設定された動作モードに応じた給紙速度をＲＯＭ２０より取得し，該給紙速度に基づいて駆動部３０を駆動させることによって，原稿台に載置される原稿を該給紙速度にて一枚づつＤＦ１２０に引き込んで読み取る（Ｓ３０）。
このように一連の処理が行われることによって，ユーザによって設定される動作モードに応じて給紙速度を可変に制御することが可能となる。
例えば，ステップＳ１０にてモノクロモードが設定された場合は，原稿台に載置されている原稿がＰＰＣ等の普通紙であると考えられるので，従来と同様に普通紙に最適で且つ沢山処理できる給紙速度で作動させることが可能となる。
他方，ステップＳ１０にてカラーモードが設定された場合は，原稿台に載置されている原稿の一部或いは全てが表面がコーティング処理されたシート材であると考えられるので，上記普通紙の給紙速度に比べて遅い速度で原稿台に載置される原稿を給紙することで，確実に原稿をＤＦ１２０に引き込んで読み取ることが可能となる。
【０００９】
【実施例】
（実施例１）
上記実施の形態においては，ユーザによって設定されるスキャナＡの動作モードに応じて給紙速度を可変に制御する場合について述べたが，本実施例１では他の要因で給紙速度を可変に制御する例について説明する。
一般的に，原稿台１３０に載置される原稿はＤＦ１２０内部に設けられるモーター等の駆動部４０に接続されるローラ等よって引き込まれる。そのため，スキャナＡを使用する期間が長くなると，上記ローラが磨耗等によって給紙性能が落ちることが知られている。
このような事態に対応するため，ＲＯＭ２０を書き換え可能な記憶媒体とし，更に制御部１０がタイマ機能を具備することで，スキャナＡが使用される使用期間をＲＯＭ２０に記録し，使用期間に応じてスキャナＡの給紙速度を可変に制御することで，給紙不良や原稿のジャム等を未然に防ぐことが可能となる。
また，上記使用期間に応じて給紙速度を可変に制御する替りに，スキャナＡが給紙を行ったシート材の枚数に応じて上記給紙速度を可変に制御しても良い。
（実施例２）
上述では，給紙速度を可変に制御する例について述べたが，原稿の給紙不良や原稿のジャムが発生の多くは原稿台１３０に載置されて静止している原稿をＤＦ１２０に引き込む瞬間である場合が多い。
従って，上述のように給紙速度を制御するのではなく，原稿台に載置されて静止している原稿をＤＦ１２０に引き込む際に，原稿に掛かる加速度を可変に制御するようにしても良い。
この場合も，給紙速度の場合と同様に，カラーモードでスキャナＡを作動させる場合の加速度は，モノクロモードでスキャナＡを作動させる場合の加速度よりも小さな値となるように制御することで，給紙不良や原稿のジャムの発生を未然に防ぐことが可能となる。
（実施例３）
また，本発明は原稿読取装置の一例であるスキャナＡを具備する，或いは接続可能な画像形成装置として構成されても良い。
このような画像形成装置の一例として，例えば，図４に示されるような画像形成装置Ｐがある。
この画像形成装置Ｐは，上部に上記スキャナＡ，下部に画像形成部２０３を具備している。
この画像形成部２０３は，シート材をストックするトレイ２０２と，トレイ２０２より搬送されたシート材にトナーを転写する転写部２０４と，該転写部２０４で転写された後にシート材を排出する排出部２０５とを具備する一般的なものである。
このような画像形成装置では，最適な給紙速度又は加速度で原稿を給紙することが可能となるので，給紙不良や原稿のジャムの発生を未然に防いで効率よく原稿画像の画像形成を行うことが可能となる。
【００１０】
【発明の効果】
以上説明したように，本発明は，原稿台に載置された原稿を読み取る位置まで給紙する原稿読取装置において，
上記原稿を上記位置まで給紙する際の給紙速度を可変に制御するに際して，当該原稿読取装置の動作モードがモノクロ原稿読取モードに設定されたときの給紙速度よりも，カラー原稿読取モードに設定されたときの給紙速度を小さくするよう制御することを特徴とする原稿読取装置として構成されている。
このように構成されているので，原稿台より給紙される原稿の材質に応じて給紙速度を可変に制御することが可能となって，従来のように表面に薬品等でコーティングされたシート材を給紙する場合に発生していた給紙不良や原稿のジャムを防止することが可能となる。
また，前記原稿読取装置の動作モード，使用期間，又は前記原稿を給紙した枚数に応じて，前記給紙速度を可変に制御しても良い。
このように構成することで，様々な条件に合った最適な給紙速度で原稿を給紙することが可能となり，例えば，原稿台より給紙される原稿の材質のみならず，原稿を給紙する駆動部材の磨耗によって発生する給紙不良や原稿のジャム等を防止することが可能となる。
【００１１】
原稿台に載置された原稿を読み取る位置まで給紙する原稿読取装置において，
上記原稿を上記位置まで給紙する際に上記原稿に掛かる加速度を可変に制御するに際して，当該原稿読取装置の動作モードがモノクロ原稿読取モードに設定されたときの加速度よりも，カラー原稿読取モードに設定されたときの加速度を小さくするよう制御することを特徴とする原稿読取装置として構成されている。
このように構成されているので，原稿台より給紙される原稿の材質に応じて給紙において原稿に掛かる加速度を可変に制御することが可能となって，従来のように表面に薬品等でコーティングされたシート材を給紙する場合に発生していた給紙不良や原稿のジャムを防止することが可能となる。
また，前記原稿読取装置の動作モード，使用期間，又は前記原稿を給紙した枚数に応じて，前記加速度を可変に制御しても良い。
このように構成することで，様々な条件に合った最適な加速度で原稿を給紙することが可能となり，例えば，原稿台より給紙される原稿の材質のみならず，原稿を給紙する駆動部材の磨耗によって発生する給紙不良や原稿のジャム等を防止することが可能となる。
更に，前記原稿読取装置を具備する画像形成装置であっても良く，このように構成することで，最適な給紙速度又は加速度で原稿を給紙し，効率よく原稿画像の画像形成を行うことが可能となる。
【図面の簡単な説明】
【図１】本発明の実施の形態に係るスキャナＡの概略構成を示したブロック図。
【図２】本発明のスキャナＡ及び従来のスキャナＢの外観図である。
【図３】本発明の実施の形態に係るスキャナＡが行う一連の処理の一例を示したフローチャート。
【図４】スキャナＡを具備した画像形成装置Ｐの外観断面図。
【符号の説明】
Ａ………スキャナ
１０………制御部
２０………ＲＯＭ
３０………駆動部
４０………操作部
１２０………ドキュメントフィーダ（ＤＦ）
１３０………原稿台
１５０………ＤＦ用コンタクトガラス
１６０………コンタクトガラス
【図１】
0003764085.tif 000002
【図２】
0003764085.tif 000003
【図３】
0003764085.tif 000004
【図４】
0003764085.tif 000005